(57)【要約】  方法が、複数のコンポーネントキャリアのうちの１又はそれ以上がアクティブ化されていないかどうかを判断するステップを含む。この方法は、いずれの１又はそれ以上のコンポーネントキャリアがアクティブ化されていないかを示す情報を、チャネル状態情報シグナリングの一部として送信するステップをさらに含む。【選択図】図５
2013534740.tif 000002
【特許請求の範囲】
【請求項１】
複数のコンポーネントキャリアのうちの１又はそれ以上がアクティブ化されていないかどうかを判断するステップと、
いずれの１又はそれ以上のコンポーネントキャリアがアクティブ化されていないかを示す情報を、チャネル状態情報シグナリングの一部として送信するステップと、
を含むことを特徴とする方法。
【請求項２】
アグリゲートキャリアのうちの少なくとも１つのアクティブ化されているコンポーネントキャリアに関するチャネル状態情報を送信するステップを含み、前記情報が、少なくとも１つのアクティブ化されていないコンポーネントキャリアに関して、それぞれのコンポーネントキャリアがアクティブ化されていないことを示す、
ことを特徴とする請求項１に記載の方法。
【請求項３】
コンポーネントキャリア固有のチャネル状態情報を、所定のチャネル固有の構成に応じてシグナリングするステップを含む、
ことを特徴とする請求項１又は２に記載の方法。
【請求項４】
いずれの１又はそれ以上のコンポーネントキャリアがアクティブ化されていないかを示す前記情報を、前記１又はそれ以上のコンポーネントキャリアがアクティブ化されていればチャネル状態情報を提供するために使用されたであろうリソースで送信するステップを含む、
ことを特徴とする請求項２又は３に記載の方法。
【請求項５】
前記それぞれのコンポーネントキャリアがアクティブ化されていないことを示す前記情報が、所定のシグナリング状態を含む、
ことを特徴とする請求項１から４のいずれかに記載の方法。
【請求項６】
前記所定のシグナリング状態が、所定のビットパターンを含む、
ことを特徴とする請求項５に記載の方法。
【請求項７】
前記所定のシグナリング状態が、アクティブ化されているコンポーネントキャリアに対応するシグナリング状態に対して低い相関を有する、
ことを特徴とする請求項５又は６に記載の方法。
【請求項８】
前記所定のシグナリング状態が、範囲外の値に対応する、
ことを特徴とする請求項５又は６に記載の方法。
【請求項９】
前記所定のシグナリング状態を、複数の異なる種類のチャネル状態情報に関連する値を組み合わせることによってシグナリングするステップを含む、
ことを特徴とする請求項５又は６に記載の方法。
【請求項１０】
いずれの１又はそれ以上のコンポーネントキャリアがアクティブ化されていないかを示す前記情報を定期的に送信するステップを含む、
ことを特徴とする請求項１から９のいずれかに記載の方法。
【請求項１１】
いずれの１又はそれ以上のコンポーネントキャリアがアクティブ化されていないかを示す前記情報を、受け取った要求に応答して送信するステップを含む、
ことを特徴とする請求項１から１０のいずれかに記載の方法。
【請求項１２】
前記情報を、制御チャネル及び共有チャネルの一方で送信するステップを含む、
ことを特徴とする請求項１から１１のいずれかに記載の方法。
【請求項１３】
コンポーネントキャリアがアクティブ化されていないことを示す前記情報を、ユーザ装置が１つの時間周期中に複数のコンポーネントキャリアに対応するチャネル状態情報をシグナリングしている場合にのみ送信するステップを含む、
ことを特徴とする請求項１から１２のいずれかに記載の方法。
【請求項１４】
いずれの１又はそれ以上のコンポーネントキャリアがアクティブ化されていないかを示す情報を、ユーザ装置からチャネル状態情報シグナリングの一部として受け取るステップと、
前記情報に基づいて、前記ユーザ装置がいずれの１又はそれ以上のコンポーネントキャリアをアクティブ化されていないと見なしているかを判断するステップと、
を含むことを特徴とする方法。
【請求項１５】
１又はそれ以上のプロセッサ上で実行された時に請求項１から１４のいずれかに記載の方法を実行するコンピュータ可読命令を含む、
ことを特徴とするコンピュータプログラム。
【請求項１６】
複数のコンポーネントキャリアのうちの１又はそれ以上がアクティブ化されていないかどうかを判断する手段と、
いずれの１又はそれ以上のコンポーネントキャリアがアクティブ化されていないかを示す情報を、チャネル状態情報シグナリングの一部として送信する手段と、
を備えることを特徴とする装置。
【請求項１７】
前記送信手段が、アグリゲートキャリアのうちの少なくとも１つのアクティブ化されているコンポーネントキャリアに関するチャネル状態情報を送信するように構成され、前記情報が、少なくとも１つのアクティブ化されていないコンポーネントキャリアに関して、それぞれのコンポーネントキャリアがアクティブ化されていないことを示す、
ことを特徴とする請求項１６に記載の装置。
【請求項１８】
前記送信手段が、コンポーネントキャリア固有のチャネル状態情報を所定のチャネル固有の構成に応じてシグナリングするように構成される、
ことを特徴とする請求項１６又は１７に記載の装置。
【請求項１９】
前記送信手段が、いずれの１又はそれ以上のコンポーネントキャリアがアクティブ化されていないかを示す前記情報を、前記１又はそれ以上のコンポーネントキャリアがアクティブ化されていればチャネル状態情報を提供するために使用されたであろうリソースで送信するように構成される、
ことを特徴とする請求項１７又は１８に記載の装置。
【請求項２０】
前記それぞれのコンポーネントキャリアがアクティブ化されていないことを示す前記情報が、所定のシグナリング状態を含む、
ことを特徴とする請求項１６から１９のいずれかに記載の装置。
【請求項２１】
前記所定のシグナリング状態が、所定のビットパターンを含む、
ことを特徴とする請求項２０に記載の装置。
【請求項２２】
前記所定のシグナリング状態が、アクティブ化されているコンポーネントキャリアに対応するシグナリング状態に対して低い相関を有する、
ことを特徴とする請求項２０又は２１に記載の装置。
【請求項２３】
前記所定のシグナリング状態が、範囲外の値に対応する、
ことを特徴とする請求項２０又は２１に記載の装置。
【請求項２４】
前記所定のシグナリング状態を、複数の異なる種類のチャネル状態情報に関連する値を組み合わせることによってシグナリングすることを含む、
ことを特徴とする請求項２０又は２１に記載の装置。
【請求項２５】
前記送信手段が、いずれの１又はそれ以上のコンポーネントキャリアがアクティブ化されていないかを示す前記情報を定期的に送信するように構成される、
ことを特徴とする請求項１６から２４のいずれかに記載の装置。
【請求項２６】
前記送信手段が、いずれの１又はそれ以上のコンポーネントキャリアがアクティブ化されていないかを示す前記情報を、受け取った要求に応答して送信するように構成される、
ことを特徴とする請求項１６から２４のいずれかに記載の装置。
【請求項２７】
前記送信手段が、前記情報を制御チャネル及び共有チャネルの一方で送信するように構成される、
ことを特徴とする請求項１６から２６のいずれかに記載の装置。
【請求項２８】
コンポーネントキャリアがアクティブ化されていないことを示す前記情報を、ユーザ装置が１つの時間周期中に複数のコンポーネントキャリアに対応するチャネル状態情報をシグナリングしている場合にのみ送信することを含む、
ことを特徴とする請求項１６から２７のいずれかに記載の装置。
【請求項２９】
請求項１６から２８のいずれかに記載の装置を備える、
ことを特徴とするユーザ装置。
【請求項３０】
いずれの１又はそれ以上のコンポーネントキャリアがアクティブ化されていないかを示す情報を、ユーザ装置からチャネル状態情報シグナリングの一部として受け取る手段と、
前記情報に基づいて、前記ユーザ装置がいずれの１又はそれ以上のコンポーネントキャリアをアクティブ化されていないと見なしているかを判断する手段と、
を備えることを特徴とする装置。
【請求項３１】
請求項３０に記載の装置を備える、
ことを特徴とする基地局。
【請求項３２】
少なくとも１つのプロセッサと、コンピュータプログラムコードを含む少なくとも１つのメモリとを備えた装置であって、前記少なくとも１つのメモリ及び前記コンピュータプログラムコードが、前記少なくとも１つのプロセッサを用いて前記装置に、
複数のコンポーネントキャリアのうちの１又はそれ以上がアクティブ化されていないかどうかを判断させ、
いずれの１又はそれ以上のコンポーネントキャリアがアクティブ化されていないかを示す情報を、チャネル状態情報シグナリングの一部として送信させる、
ように構成される、
ことを特徴とする装置。
【請求項３３】
前記少なくとも１つのメモリ及び前記コンピュータプログラムコードが、前記少なくとも１つのプロセッサを用いて前記装置に、アグリゲートキャリアのうちの少なくとも１つのアクティブ化されているコンポーネントキャリアに関するチャネル状態情報を送信させるように構成され、前記情報が、少なくとも１つのアクティブ化されていないコンポーネントキャリアに関して、それぞれのコンポーネントキャリアがアクティブ化されていないことを示す、
ことを特徴とする請求項３２に記載の装置。
【請求項３４】
前記少なくとも１つのメモリ及び前記コンピュータプログラムコードが、前記少なくとも１つのプロセッサを用いて前記装置に、コンポーネントキャリア固有のチャネル状態情報を、所定のチャネル固有の構成に応じてシグナリングさせるように構成される、
ことを特徴とする請求項３２に記載の装置。
【請求項３５】
前記少なくとも１つのメモリ及び前記コンピュータプログラムコードが、前記少なくとも１つのプロセッサを用いて前記装置に、いずれの１又はそれ以上のコンポーネントキャリアがアクティブ化されていないかを示す前記情報を、前記１又はそれ以上のコンポーネントキャリアがアクティブ化されていればチャネル状態情報を提供するために使用されたであろうリソースで送信させるように構成される、
ことを特徴とする請求項３３に記載の装置。
【請求項３６】
前記それぞれのコンポーネントキャリアがアクティブ化されていないことを示す前記情報が、所定のシグナリング状態を含む、
ことを特徴とする請求項３２に記載の装置。
【請求項３７】
前記所定のシグナリング状態が、所定のビットパターンを含む、
ことを特徴とする請求項３６に記載の装置。
【請求項３８】
前記所定のシグナリング状態が、アクティブ化されているコンポーネントキャリアに対応するシグナリング状態に対して低い相関を有する、
ことを特徴とする請求項３６に記載の装置。
【請求項３９】
前記所定のシグナリング状態は、範囲外の値に対応する、
ことを特徴とする請求項３６に記載の装置。
【請求項４０】
前記少なくとも１つのメモリ及び前記コンピュータプログラムコードが、前記少なくとも１つのプロセッサを用いて前記装置に、前記所定のシグナリング状態を、複数の異なる種類のチャネル状態情報に関連する値を組み合わせることによってシグナリングさせるように構成される、
ことを特徴とする請求項３６に記載の装置。
【請求項４１】
前記少なくとも１つのメモリ及び前記コンピュータプログラムコードが、前記少なくとも１つのプロセッサを用いて前記装置に、いずれの１又はそれ以上のコンポーネントキャリアがアクティブ化されていないかを示す前記情報を定期的に送信させるように構成される、
ことを特徴とする請求項３２に記載の装置。
【請求項４２】
前記少なくとも１つのメモリ及び前記コンピュータプログラムコードが、前記少なくとも１つのプロセッサを用いて前記装置に、いずれの１又はそれ以上のコンポーネントキャリアがアクティブ化されていないかを示す前記情報を、受け取った要求に応答して送信させるように構成される、
ことを特徴とする請求項３２に記載の装置。
【請求項４３】
前記少なくとも１つのメモリ及び前記コンピュータプログラムコードが、前記少なくとも１つのプロセッサを用いて前記装置に、前記情報を、制御チャネル及び共有チャネルの一方で送信させるように構成される、
ことを特徴とする請求項３２に記載の装置。
【請求項４４】
前記少なくとも１つのメモリ及び前記コンピュータプログラムコードが、前記少なくとも１つのプロセッサを用いて前記装置に、コンポーネントキャリアがアクティブ化されていないことを示す前記情報を、１つの時間周期中に複数のコンポーネントキャリアに対応するチャネル状態情報をユーザ装置がシグナリングしている場合にのみ送信させるように構成される、
ことを特徴とする請求項３２に記載の装置。
【請求項４５】
少なくとも１つのプロセッサと、コンピュータプログラムコードを含む少なくとも１つのメモリとを備えた装置であって、前記少なくとも１つのメモリ及び前記コンピュータプログラムコードが、前記少なくとも１つのプロセッサを用いて前記装置に、
いずれの１又はそれ以上のコンポーネントキャリアがアクティブ化されていないかを示す情報を、ユーザ装置からチャネル状態情報シグナリングの一部として受け取らせ、
前記情報に基づいて、前記ユーザ装置がいずれの１又はそれ以上のコンポーネントキャリアをアクティブ化されていないと見なしているかを判断させる、
ように構成されることを特徴とする装置。
【発明の詳細な説明】
【技術分野】
【０００１】
本発明のいくつかの実施形態は、キャリア情報を提供するための方法及び装置に関する。具体的には、ただし排他的な意味ではないが、本発明のいくつかの実施形態は、アグリゲートキャリアのキャリア情報を提供するための方法及び装置に関する。
【背景技術】
【０００２】
通信システムは、通信路に関わる様々なエンティティ間にキャリアを提供することにより、ユーザ端末、基地局及び／又はその他のノードなどの２又はそれ以上のエンティティ間の通信セッションを可能にする設備であると考えることができる。通信システムは、例えば、通信ネットワーク及び１又はそれ以上の互換性のある通信機器によって実現することができる。通信は、例えば、音声、電子メール（ｅメール）、テキストメッセージ、マルチメディア及び／又はコンテンツデータなどの、通信を行うためのデータの通信を含むことができる。提供されるサービスの非限定的な例としては、双方向又は多方向通話、データ通信又はマルチメディアサービス、及びインターネットなどのデータネットワークシステムへのアクセスが挙げられる。
【０００３】
無線通信システムでは、少なくとも２つの局間の通信の少なくとも一部が無線リンクを介して行われる。無線システムの例としては、公衆陸上移動体ネットワーク（ＰＬＭＮ）、衛星通信システム、及び、例えば無線ローカルエリアネットワーク（ＷＬＡＮ）などの様々な無線ローカルネットワークが挙げられる。通常、無線システムはセルに分割することができ、従ってセルラーシステムと呼ばれることが多い。
【０００４】
ユーザは、適当な通信機器又は端末によって通信システムにアクセスすることができる。ユーザの通信機器は、ユーザ装置（ＵＥ）と呼ばれることが多い。通信機器は、例えば、通信ネットワークへのアクセス又は他のユーザとの直接通信などの通信を可能にするための適当な信号送受信装置を備える。通信機器は、例えばセルの基地局などの局により提供されるキャリアにアクセスして、このキャリア上で通信を送信及び／又は受信することができる。
【０００５】
通常、通信システム及び関連する機器は、システムに関連する様々なエンティティが何をすることができるか、及びいかにしてこれを行うべきかを示す所与の標準又は仕様に従って動作する。例えば、キャリアアグリゲーションを使用するかどうかを定めることができる。通常は、接続に使用すべき通信プロトコル及び／又はパラメータも定められる。容量の需要の増加に伴う問題を解決しようとする試みの例に、ユニバーサル移動体電気通信システム（ＵＭＴＳ）無線アクセス技術のロングタームエボリューション（ＬＴＥ）として知られているアーキテクチャがある。ＬＴＥは、第３世代パートナーシッププロジェクト（３ＧＰＰ）によって標準化の過程にある。３ＧＰＰ  ＬＴＥ仕様の様々な発展段階は、リリースと呼ばれる。標準化の目的は、とりわけ、レイテンシを短縮し、ユーザデータレートを高め、システム容量及びカバレッジを改善し、通信事業者のコストを削減した通信システムを実現することである。ＬＴＥのさらなる発展は、ＬＴＥ−Ａｄｖａｎｃｅｄ（ＬＴＥ−Ａ）と呼ばれる。ＬＴＥ−Ａｄｖａｎｃｅｄは、低いコストでさらにデータレートを高めてレイテンシを短縮することにより、さらに強化したサービスを提供することを目的としている。
【０００６】
例えば、特にピークデータレートなどの性能を高めるために、キャリアアグリゲーションを使用することができる。キャリアアグリゲーションでは、複数のキャリアを束ねて帯域幅を増やす。キャリアアグリゲーションは、複数のコンポーネントキャリアＣＣを、本明細書ではアグリレートキャリアと呼ぶキャリアに束ねることを含む。
【０００７】
この束ねられたスペクトルを使用するには、複数のコンポーネントキャリアのチャネル状態情報（ＣＳＩ）レポートを提供する必要がある。
【発明の概要】
【課題を解決するための手段】
【０００８】
１つの実施形態によれば、方法が、複数のコンポーネントキャリアのうちの１又はそれ以上がアクティブ化されていないかどうかを判断するステップと、いずれの１又はそれ以上のコンポーネントキャリアがアクティブ化されていないかを示す情報を、チャネル状態情報シグナリングの一部として送信するステップとを含む。
【０００９】
１つの実施形態によれば、方法が、いずれの１又はそれ以上のコンポーネントキャリアがアクティブ化されていないかを示す情報を、ユーザ装置からチャネル状態情報シグナリングの一部として受け取るステップと、前記情報に基づいて、ユーザ装置が、いずれの１又はそれ以上のコンポーネントキャリアがアクティブ化されていないと見なしているかを判断するステップとを含む。
【００１０】
１つの実施形態によれば、装置が、複数のコンポーネントキャリアのうちの１又はそれ以上がアクティブ化されていないかどうかを判断する手段と、いずれの１又はそれ以上のコンポーネントキャリアがアクティブ化されていないかを示す情報を、チャネル状態情報シグナリングの一部として送信する手段とを備える。
【００１１】
１つの実施形態によれば、装置が、いずれの１又はそれ以上のコンポーネントキャリアがアクティブ化されていないかを示す情報を、ユーザ装置からチャネル状態情報シグナリングの一部として受け取る手段と、前記情報に基づいて、ユーザ装置がいずれの１又はそれ以上のコンポーネントキャリアがアクティブ化されていないと見なしているかを判断する手段とを備える。
【００１２】
１つの実施形態によれば、装置が、少なくとも１つのプロセッサと、コンピュータプログラムコードを含む少なくとも１つのメモリとを備え、この少なくとも１つのメモリ及びコンピュータプログラムコードが、少なくとも１つのプロセッサを用いて装置に、複数のコンポーネントキャリアのうちの１又はそれ以上がアクティブ化されていないかどうかを判断させ、いずれの１又はそれ以上のコンポーネントキャリアがアクティブ化されていないかを示す情報を、チャネル状態情報シグナリングの一部として送信させるように構成される。
【００１３】
１つの実施形態によれば、装置が、少なくとも１つのプロセッサと、コンピュータプログラムコードを含む少なくとも１つのメモリとを備え、この少なくとも１つのメモリ及びコンピュータプログラムコードが、少なくとも１つのプロセッサを用いて装置に、いずれの１又はそれ以上のコンポーネントキャリアがアクティブ化されていないかを示す情報を、ユーザ装置からチャネル状態情報シグナリングの一部として受け取らせ、前記情報に基づいて、ユーザ装置が、いずれの１又はそれ以上のコンポーネントキャリアがアクティブ化されていないと見なしているかを判断させるように構成される。
【００１４】
ここで、以下の例及び添付図面を参照しながら、いくつかの実施形態をほんの一例として説明する。
【図面の簡単な説明】
【００１５】
【図１】本発明のいくつかの実施形態を実施できる通信システムの例を示す図である。
【図２】通信機器の例を示す図である。
【図３】アグリゲートキャリアの例を示す図である。
【図４】アップリンク共有チャネルのリソース要素を概略的に示す図である。
【図５】第１の方法を概略的に示す図である。
【図６】第２の方法を概略的に示す図である。
【図７】基地局を概略的に示す図である。
【発明を実施するための形態】
【００１６】
以下の説明では、モバイル通信機器にサービスを提供する無線又は移動体通信システムを参照しながら、いくつかの例示的な実施形態について説明する。図１及び図２を参照しながら無線通信システム及びモバイル通信機器について簡単に説明する。
【００１７】
通信機器を使用して、通信システムを介して提供される様々なサービス及び／又はアプリケーションにアクセスすることができる。無線又は移動体通信システムでは、モバイル通信機器１と適当な無線アクセスシステム１０の間の無線アクセスインターフェイスを介してアクセスが行われる。通常、モバイル機器１は、少なくとも１つの基地局１２又はアクセスシステムの同様の無線送信機及び／又は受信機ノードなどのアクセスノードを介して通信システムに無線でアクセスすることができる。通常、基地局サイトは、セルラーシステムの１又はそれ以上のセルを提供する。図１の例では、基地局１２がセルを提供するように構成されるが、例えば、それぞれがセルを提供する３つのセクタを提供することもできる。各モバイル機器１及び基地局は、１又はそれ以上の無線チャネルを同時に開かせて、複数のソースから信号を受け取ることができる。
【００１８】
基地局は、基地局の動作及び基地局と通信するモバイル通信機器の管理を可能にするために、通常は少なくとも１つの適当なコントローラによって制御される。制御エンティティは、他の制御エンティティと相互接続することができる。図１には、コントローラが設けられていることをブロック１３によって示している。適当なコントローラ装置は、少なくとも１つのメモリと、少なくとも１つのデータ処理ユニットと、入出力インターフェイスとを備えることができる。コントローラは、メモリ容量８２５及び少なくとも１つのデータプロセッサ８２０を備えることができる。これらの制御機能は、複数のコントローラユニット間で分散できると理解されたい。基地局のコントローラ装置は、以下でより詳細に説明するような制御機能を提供するための適当なソフトウェアコードを実行するように構成することができる。
【００１９】
図１に示す例では、基地局ノード１２が、適当なゲートウェイ１５を介してデータネットワーク２０に接続される。例えば、パケットデータゲートウェイ及び／又はアクセスゲートウェイなどのあらゆる適当なゲートウェイノードにより、アクセスシステムとパケットデータネットワークなどの別のネットワークとの間のゲートウェイ機能を提供することができる。このようにして、１又はそれ以上の相互接続ネットワーク及びこれらの要素によって通信システムを提供し、様々なネットワークを相互接続するための１又はそれ以上のゲートウェイノードを提供することができる。いくつかの実施形態では、基地局ノードがｅＮｏｄｅＢである。
【００２０】
通信機器を使用して、様々なサービス及び／又はアプリケーションにアクセスすることができる。通信機器は、符号分割多元接続（ＣＤＭＡ）又は広帯域ＣＤＭＡ（ＷＣＤＭＡ）などの様々なアクセス技術に基づいて通信システムにアクセスすることができる。後者の技術は、第３世代パートナーシッププロジェクト（３ＧＰＰ）仕様に基づく通信システムにより使用されている。他の例には、時分割多元接続（ＴＤＭＡ）、周波数分割多元接続（ＦＤＭＡ）、空間分割多元接続（ＳＤＭＡ）などがある。本明細書で説明する原理を適用できるモバイルアーキテクチャの非限定的な例は、進化型ユニバーサル地上波無線アクセスネットワーク（Ｅ−ＵＴＲＡＮ）として知られている。
【００２１】
適当なアクセスノードの非限定的な例にセルラーシステムの基地局があり、例えば、３ＧＰＰ仕様の語彙ではＮｏｄｅＢ又はエンハンストＮｏｄｅＢ（ｅＮＢ）として知られている。ｅＮＢは、ユーザプレーンの無線リンク制御／媒体アクセス制御／物理層プロトコル（ＲＬＣ／ＭＡＣ／ＰＨＹ）、及びモバイル通信機器に向けた制御プレーンの無線リソース制御（ＲＲＣ）プロトコル終端などのＥ−ＵＴＲＡＮ機能を提供することができる。他の例としては、無線ローカルエリアネットワーク（ＷＬＡＮ）及び／又はＷｉＭａｘ（ワールドワイド・インターオペラビリティ・フォー・マイクロウェーブ・アクセス）などの技術に基づくシステムの基地局が挙げられる。
【００２２】
図２に、複数のコンポーネントキャリアを含むアグリゲートキャリア１１上で少なくとも１つの他の無線局と通信するために使用できる通信機器１の概略的な部分断面図を示す。適当なモバイル通信機器は、無線信号を送受信できるあらゆる機器によって実現することができる。非限定的な例として、携帯電話又はスマートフォンなどの移動局（ＭＳ）、無線インターフェイスカード又はその他の無線インターフェイス設備を備えたポータブルコンピュータ、無線通信機能を備えた携帯情報端末（ＰＤＡ）、或いはこれらの又はあらゆる組み合わせなどが挙げられる。
【００２３】
モバイル通信機器は、音声及びビデオ通話、データネットワークを介して提供されるサービスアプリケーションへのアクセスに使用することができる。モバイル機器１は、無線キャリア又は無線ベアラ上で無線信号を送受信するための適当な装置を介して信号を受け取ることができる。図２には、ブロック７によってトランシーバを概略的に示している。このトランシーバは、例えば、無線部及び関連するアンテナ配列によって実現することができる。アンテナ配列は、モバイル機器の内部に配置しても、又は外部に配置してもよい。通常、モバイル機器は、少なくとも１つのデータ処理エンティティ３、少なくとも１つのメモリ４、及び実行するように設計されたタスクで使用できるその他の構成要素９も備える。これらのデータ処理エンティティ、ストレージエンティティ、及びその他のエンティティは、適当な回路基板上及び／又はチップセット内に設けることができる。この機能を、参照番号６によって示している。ユーザは、キーパッド２、音声コマンド、タッチセンサ式スクリーン又はパッドなどの好適なユーザインターフェイス、或いはこれらの組み合わせなどを使用してモバイル機器の動作を制御することができる。通常は、ディスプレイ５、スピーカ、及びマイクも設けられる。さらに、モバイル機器は、他の機器への、及び／又は例えばハンズフリー装置などの外部アクセサリを接続するための適当なコネクタ（有線又は無線のいずれか）を備えることもできる。
【００２４】
本発明のいくつかの実施形態は、ＬＴＥ−Ａシステムで実施することができ、例えば、３ＧＰＰ  ＬＴＥ  Ｒｅｌ−１０の一部とすることができる。当然ながら、本発明の他の実施形態は、ＬＴＥ標準の他のリリースとともに使用することができる。本発明のさらに別の実施形態は、ＬＴＥ標準以外の標準とともに使用することができる。
【００２５】
本発明のいくつかの実施形態は、チャネル状態情報（ＣＳＩ）フィードバックシグナリングにキャリアアグリゲーションを提供することができる。キャリアアグリゲーションにより、より広い帯域幅及び高いピークデータレート要件を達成することができる。
【００２６】
束ねられたスペクトルを効率的に使用するために、複数のコンポーネントキャリアのチャネル状態情報レポートを提供することができる。実施形態のいくつかは、多義性及びアクティブ化／非アクティブ化コンポーネントキャリアに関する潜在的なエラーケースにシグナリングによって対処するようになっている。
【００２７】
図３に、キャリアアグリゲーションの原理を示し、５つのコンポーネントキャリア３０１、３０２、３０３、３０４、３０５を使用してシステム帯域幅を形成することを示している。リリース１０及びそれ以降のリリースに従う動作に適合された３ＧＰＰ  ＬＴＥ−Ａｄｖａｎｃｅｄ端末は、同じ伝送時間間隔（ＴＴＩ）内に複数の束ねられたコンポーネントキャリア上で同時に受信及び／又は送信を行うことができる。すなわち、本明細書においてコンポーネントキャリアと呼ぶ２又はそれ以上のキャリアを束ねて、通信機器が、その能力に応じて１又は複数のコンポーネントキャリアを同時に通信できるようにすることができる。なお、アグリゲートキャリアのコンポーネントキャリアは、異なるセルによって提供することができる。また、３ＧＰＰ用語では、構成された各コンポーネントキャリアをサービングセルと見なし、これらがｅＮＢに接続される。通常は、これらのサービングセルがともに配置されるが、コンポーネントキャリアによってはリモート無線ヘッド（ＲＲＨ）又はリピータ／リレーを使用できることもある。キャリアアグリゲーションを使用する場合、ＵＥのために１つの１次サービングセル（Ｐｃｅｌｌ）及び０又はそれ以上の２次サービングセル（Ｓｃｅｌｌ）が構成される。
【００２８】
１つの実施形態では、チャネル状態情報が、チャネル品質インジケータ（ＣＱＩ）、ランクインジケータ（ＲＩ）、及びプリコーディングマトリクスインジケータ（ＰＭＩ）を含む。ＣＱＩ／ＰＭＩ及びＲＩレポートは、定期的なものであっても又は不定期なものであってもよい。チャネル情報フィードバックレポートの基本モードは、アップリンク物理制御チャネル（ＰＵＣＣＨ）を使用する定期レポートである。基地局は、上位層シグナリングを介して（通常はＲＲＣシグナリングを用いて）周期性パラメータ及びＰＵＣＣＨリソースを構成する。
【００２９】
通常、定期レポートは、ＰＵＣＣＨで送信される。しかしながら、ＵＥがＵＬでデータをスケジュールされる場合、定期レポートは、データチャネル（物理アップリンク共有チャネルＰＵＳＣＨ）に移行する。ランクインジケータ（ＲＩ）のレポート周期は、ＣＱＩ／ＰＭＩレポートの周期性の倍数である。しかしながら、これは一例であり、これらのレポートの周期性は同じ場合もある。当然ながら、３つのインジケータが全て異なる周期性を有することも、或いは異なるペアが１つの周期性を有して残りのインジケータが異なる周期性を有することも可能である。これらのＲＩレポートのうちの異なるいくつかは、ＣＱＩ／ＰＭＩレポートと同じＰＵＣＣＨリソース（ＰＲＢ（物理リソースブロック）、巡回シフト）、すなわちＰＵＣＣＨフォーマット２／２ａ／２ｂを使用する。
【００３０】
３ＧＰＰフォーラムでは、定期レポートに加えて、基地局がどのサブフレームにおいても（ＵＥがＤＲＸ／ＤＴＸ（不連続受信／送信）を行うように構成されたサブフレームを除く）ＰＵＳＣＨで不定期なＣＱＩを送信するようにＵＥを強制できるようにすることが提案されてきた。この不定期なＣＱＩ要求は、（物理ダウンリンク制御チャネル（ＰＤＣＣＨ）で送信される）アップリンクグラント内の特定のビットによってトリガされる。さらに、同期ＵＬデータの送信を伴わない不定期なＣＱＩ送信、すなわちＣＱＩ送信のみを要求することも可能である。現在、リリース８では、不定期なＣＱＩレポートのための方法をいくつか規定しており、各ＵＥは、ＲＲＣ（無線リソース制御）シグナリングを介して常に１つの不定期なＣＱＩレポートモードに構成される（明確に構成されていない場合、送信モードに応じて指定のデフォルトモードを取ることができる）。
【００３１】
ＬＴＥ−Ａｄｖａｎｃｅｄでは、定期レポート及び不定期レポートをいずれもサポートすることができる。しかしながら、これに加えて、一方又は両方のレポートスキームをキャリアアグリゲーションでサポートする方法が必要である。複数のＣＣのＣＱＩレポートを拡張するスキームの例には以下の２つがある。
ＰＵＣＣＨでの定期レポート：ＣＣごとに独立したレポートが存在する。ＣＣごとに別個のレポートパラメータ（例えば、周期性、レポートモード、サブフレームオフセットなど）が構成される。
ＰＵＳＣＨでの不定期レポート：１つのＣＣのみに関しては、詳細な周波数選択的レポートが導出され、他のＣＣに関しては、何らかの粗い広帯域情報が提供される。
【００３２】
ＭＡＣ（媒体アクセス制御）レベルのシグナリングを使用して、ＵＥ  ＤＬ  ＣＣセット内のＤＬ  ＳＣＣ（ダウンリンクセカンダリコンポーネントキャリア）をアクティブ化／非アクティブ化することができる。ＲＡＮ２からの別の合意事項は、ＵＥが、非アクティブ化されているＣＣに対応するＣＱＩ測定を行わないことである。従って、非アクティブ化されているＣＣに対応するＣＱＩ測定はレポートされない。さらに、ＰＵＣＣＨは、１つのＵＬ  ＣＣ（ＰＣＣ（プライマリコンポーネントキャリア）又はＰｃｅｌｌ）上でのみ送信することができ、従って全てのＤＬ  ＣＣに関するＰＵＣＣＨ上の全てのＵＬフィードバック（ＡＣＫ／ＮＡＣＫ及びＣＳＩ）は、ＰＣＣを介して送信することができる。
【００３３】
ＭＡＣレベルのシグナリングに関する問題点は、ＭＡＣレベルのアクティブ化／非アクティブ化に関連する潜在的なシグナリングエラーにより、いずれのＣＣがアクティブであるかについてＵＥと基地局の間に多義性が生じる点である。１つのエラーケースは、ＵＥが、ＭＡＣアクティブ化／非アクティブ化メッセージを未だ正確に復号していなかったためＮＡＣＫで再送を要求していたが、基地局が、ＮＡＣＫをＡＣＫと解釈してメッセージが正しく受信されたと思い込むというＮＡＣＫ（否定応答）対ＡＣＫ（肯定応答）のエラーに関するものである。同様に、ＡＣＫ対ＮＡＣＫのエラーケースでは、ＵＥは、アクティブ化／非アクティブ化メッセージを正しく受信してこのメッセージを適用するつもりであるが、基地局がＡＣＫをＮＡＣＫとして復号してメッセージを再送する。この多義性に起因して、ＰＵＣＣＨ及びＰＵＳＣＨ上の複数のＣＣに対応するＣＱＩの多重化に関する深刻なエラーケースが生じることもある。
【００３４】
リソース要素を概略的に示す図４を参照する。図４には、単一のＵＬキャリア内の制御／データの多重化を示している。制御信号の内容（例えば、ＡＣＫ／ＮＡＣＫ、ＲＩ及びＣＱＩ）は、複数のＤＬ  ＣＣに関連することができる。各行は、一連の（仮想）サブキャリアシンボル又はリソース要素を運ぶ特定のＳＣ−ＦＤＭＡ（シングルキャリア周波数分割多重化）シンボルを表す。図４に示す配列では、最上行と２行目の最初の８個のシンボルが、ＣＳＩリソース要素のために確保されている。ＰＵＳＣＨでは、データリソース要素の開始位置が、ＣＳＩのために確保されているリソース要素の数に依存する。図４に示す例では、２行目の８番目のシンボルからデータが開始する。しかしながら、ＣＳＩリソース要素の数が未知の場合、データの受信が不可能であり又は少なくとも困難である。図４には、ランクインジケータも示している。この例では、１１行目と１２行目の２、５、８及び１１の列位置にランクインジケータが与えられている。１０行目、１１行目及び１２行目の３、４、９及び１０の列位置には、ＡＣＫ／ＮＡＣＫ要素が与えられている。なお、ＡＣＫ／ＮＡＣＫ及びランクインジケータの列位置は、仕様で予め定められる。当然ながら、本発明の代替の実施形態では、例えば異なる標準により、様々な要素の位置が異なることもある。例えば、ＰＵＳＣＨのために選択した変調及び符号化方式に基づいて、シンボル数（すなわち、図４の行）が所定の態様で変化することもある。
【００３５】
別の例に、ＰＵＣＣＨ上のＣＳＩレポートがある。基地局は、単一のＣＳＩレポートに多重化されたダウンリンクコンポーネントキャリアの数を識別する手段を有していない。この１つの理由として、ＰＵＣＣＨで送信される定期ＣＳＩにはＣＲＣ（巡回冗長検査）ビットが含まれていないからという点を挙げることができる。
【００３６】
本発明のいくつかの実施形態は、たとえＣＣのアクティブ化／非アクティブ化処理でエラーが発生しても、信頼できるアップリンクＣＳＩシグナリング処理を提供することができる。本発明の実施形態は、コンポーネントキャリアが送信に向けてアクティブ化されていない場合に使用できると理解されたい。キャリアコンポーネントは、基地局及び／又はユーザ装置からの送信に対して非アクティブ化されることがある。例えば、コンポーネントキャリアは、構成されてもアクティブ化されないことがあり、或いは構成されずにアクティブ化もされないこともある。後者の例は、周波数間測定に当てはまる場合がある。
【００３７】
本発明のいくつかの実施形態は、ＣＣのアクティブ化／非アクティブ化に関連する多義性によって生じるＣＡ及びＣＳＩレポートに関するエラーケースを回避又は低減するための標準化したレポート機能を提供することができる。いくつかの実施形態は、ＵＥが問題のコンポーネントキャリアを非アクティブ化されていると見なしている旨を示すインジケータを使用することができる。このインジケータを、チャネル状態情報と見なすことができる。実施形態では、このインジケータを、特定のＣＣに関するレポートを入手できない旨を示すシグナリング状態とすることができる。このシグナリング状態は、ビットパターン、シンボルパターン、又はその他のあらゆる適当な指示とすることができる。１つの実施形態では、このようなシグナリング状態がＣＱＩレポートに提供され、ＤＴＸ−ＣＱＩと呼ばれる。ＤＴＸとは、不連続送信に相当する。この文脈では、ＤＴＸ−ＣＱＩが、対応するＣＱＩが全くシグナリングされないことを意味する。代わりに、現在ＣＱＩが存在しないことを示すメッセージが送信される。これに加えて又はこれとは別に、このようなシグナリング状態を、他のＣＳＩ情報に関連付けることもできると理解されたい。ＵＥは、このＤＴＸ−ＣＱＩを使用して、ＵＥの理解によれば問題のＣＣが非アクティブ化されていた旨を基地局に示すことができる。
【００３８】
ＵＥが、所与のＣＣを非アクティブ化されていると見なし、このＣＣに関するＣＳＩレポートを送信する予定の場合、このレポート内容は、少なくともこのＣＳＩレポートの一部に関して、この非アクティブ化されているＣＣに関するレポートが存在しない旨を示す情報を含む。
【００３９】
ＵＥは、非アクティブ化されているＳＣＣのＣＳＩを測定しなくてもよい。いくつかの実施形態では、ＳＣＣが構成される時にＣＳＩリソースが確保され、すなわち非アクティブ化されているＳＣＣであっても、確保されたＣＳＩリソースを有する。ＳＣＣが構成されたのに非アクティブ化されており、ＵＥがＣＳＩ測定を行わない場合、この非アクティブ化されているＣＣに関連する確保されたＣＳＩリソース上でＤＴＸ−ＣＱＩ指示を送信することができる。
【００４０】
本発明のいくつかの実施形態では、ＤＴＸ−ＣＱＩの使用を事前に定めて、ＵＥ及び基地局がいずれもこれを認識しているようにする。いくつかの実施形態では、ＤＴＸ−ＣＱＩが、以下の使用事例のうちの少なくとも１つの形でシグナリングされる。
構成されたのに非アクティブ化されているＣＣに対応するＣＱＩをＵＥがＰＵＣＣＨ上又はＰＵＳＣＨのいずれかでシグナリングしている場合、ＤＴＸ−ＣＱＩは常にシグナリングされる。
構成されたのに非アクティブ化されているＣＣに対応するＣＱＩをＵＥがＰＵＳＣＨでシグナリングしている場合、ＤＴＸ−ＣＱＩは常にシグナリングされる。
ＤＴＸ−ＣＱＩは、ＵＥが１サブフレーム（ＰＵＣＣＨ及び／又はＰＵＳＣＨ）中又はＴＴＩ中に複数のＣＣに対応するＣＱＩをシグナリングしている場合にのみシグナリングされる。ＵＥは、単一の非アクティブ化されているＣＣに対応する単一のＣＱＩをシグナリングしている場合には、このＣＣのＤＴＸを直接シグナリングする（すなわち何も送信しない）ことができる。基地局は、ＤＴＸ検出を行って、ＣＣがアクティブ化されているか、それとも非アクティブ化されているかを識別することができる。
【００４１】
ＤＴＸ−ＣＱＩ情報は、あらゆる好適な形をとることができる。ほんの一例として、１つの選択肢は、ＤＴＸ  ＣＱＩを、他の考えられるＣＳＩコードワードに対する相互相関が低い、すなわちＤＴＸ−ＣＱＩと他の考えられるＣＳＩコードワードの間のユークリッド距離又はハミング距離を最大化すべき所定の（例えば、疑似乱数の）ビットパターンとして定義することである。このビットパターンは、通常の符号化されたＣＳＩがシグナリングされるリソースと同じリソースでシグナリングされ、すなわち符号化されたＣＳＩコードワードに取って代わる。これにより、ＤＴＸ−ＣＱＩを誤ってＣＳＩ値として解釈する可能性が最小化される。
【００４２】
これの代わりに又はこれに加えて、ＣＱＩインデックス「０」（範囲外）に対応するＣＱＩエントリを使用してＤＴＸ−ＣＱＩを示すこともできる。この選択肢では、チャネル符号化動作には何の変化もない。欠点は、「ＤＴＸ」を「範囲外」と区別できない可能性がある点である。しかしながら、いくつかの実施形態では、これは問題ではないと考えられる。
【００４３】
本発明の実施形態は、ＰＵＣＣＨ及び／又はＰＵＳＣＨで定期的なＣＳＩレポートを提供することができる。
【００４４】
ＰＵＣＣＨでの定期的なＣＳＩシグナリングの場合、ＲＩ（構成される場合）が、一緒に送信されることがあるＣＱＩ及びＰＭＩとは異なるサブフレームで送信される。ＤＴＸ−ＣＱＩ情報のためのいずれの選択肢を使用してもよい。
【００４５】
ＰＵＣＣＨ：レート（２０，Ｎ）のリード・マラー・ブロックコードで符号化されたＣＱＩ、ＰＭＩ及び／又はＲＩをＤＴＸ−ＣＱＩに置き換えることができる。
【００４６】
ＰＵＳＣＨ：レート（２０，Ｎ）のリード・マラー・ブロックコードで符号化されたＣＱＩ及び／又はＰＭＩをＤＴＸ−ＣＱＩに置き換えることができる。
【００４７】
或いは、ＰＵＣＣＨ及びＰＵＳＣＨの両方に関して、ＵＥがＲＩをシグナリングするように構成されている場合、ＲＩフィールドを使用して、ＤＴＸ指示に特殊なビット／シンボルパターン又は情報を入れ込むことができる。
【００４８】
或いは、ＵＥがＣＣを非アクティブ化されていると見なし、１又はそれ以上のＣＱＩを含むＣＳＩレポートを送信する必要がある場合、ＣＱＩインデックス「０」（又は別の好適なインデックス）をレポートすることもできる。
【００４９】
これを、例えばＲＩシグナリングと組み合わせることができる。例えば、ＲＩ＞１とＣＱＩインデックス「０」の組み合わせを、明確なＤＴＸの指示として解釈することができる。当然ながら、この情報は、これらの例示的な値以外の値又はＣＳＩ情報の他の組み合わせによって実現することもできる。
【００５０】
ＰＵＣＣＨ上の定期的なＣＳＩレポートの場合、非アクティブ化されている全てのＣＣに関するＤＴＸ−ＣＱＩを送信すると、数多くの冗長レポートが生じることがある。従って、いくつかの実施形態では、ＤＴＸ−ＣＱＩの送信が、ＣＳＩレポートが他の何らかのＣＳＩレポートと重なる場合のみに限定される。
【００５１】
例えば、ＣＳＩがＳＲ（スケジューリング要求）又はＡＣＫ／ＮＡＣＫなどの他の何らかのＵＬ信号と重なる場合などには、他のシグナリングの組み合わせでも同様にＤＴＸ−ＣＱＩを送信することができる。これとは別に又はこれに加えて、ＤＴＸ−ＣＱＩを他のＵＬ信号と多重化すること、例えばＰＵＣＣＨフォーマット２ａ／２ｂを適用してＰＵＣＣＨでＤＴＸ−ＣＱＩを１ビット／２ビットＡＣＫ／ＮＡＣＫと多重化することも可能である。
【００５２】
ＰＵＳＣＨ上の定期的なＣＳＩレポートは、ＰＵＣＣＨ上のレポートと同様にすることができる。
【００５３】
ＤＴＸ−ＣＱＩの送信は、全ての非アクティブ化されているＣＣに関して行うことができる。
【００５４】
ＤＴＸ−ＣＱＩの送信は、ＣＳＩレポートが他の何らかのＣＳＩレポートと重なる場合にのみ行うことができる（基地局が、ＰＵＳＣＨからのＤＴＸ検出を実行する）。
【００５５】
本発明のいくつかの実施形態では、ＰＵＳＣＨでの不定期なＣＳＩレポートも存在し得る。
【００５６】
ＰＵＳＣＨでの不定期なＣＱＩの場合、アクティブ化／非アクティブ化手順のエラーにより、ＣＳＩデータ及びユーザデータが両方とも失われることがある。このエラーケースは深刻と考えられ、避ける必要がある。標準化の１つの成果は、（ペイロードビットの面で）詳細かつ大容量のＣＳＩレポートが単一のＤＬ  ＣＣに関してしか導出されず、他のＣＣに関しては、広帯域ＣＳＩしか提供されない点である。このような場合、全ての構成されたＣＣ（これらのＣＣがアクティブ化されているか否かに関わらず）に関するＣＳＩを常にシグナリングするための相対的オーバーヘッドが、過剰なシグナリングオーバーヘッドを引き起こすことはない。上述した特殊なビットパターンのための選択肢は、この場合に対して適用することができる。
【００５７】
本発明のいくつかの実施形態は、以下の利点の１又はそれ以上を有することができる。ＵＥ及び基地局が、アクティブなＣＣについて異なる理解を有する場合に発生し得る深刻なエラーケースを回避することができる。明確なシグナリングにより、アクティブ化／非アクティブ化においていつエラーが発生したかを識別することもできる。
【００５８】
本発明の１つの実施形態のフローチャートを示す図５を参照する。ステップＳ１において、ＵＥが、アグリゲートキャリアのうちのいずれのコンポーネントキャリアが非アクティブ化されていると見なされるかを判断する。この判断は、いずれのコンポーネントキャリアがアクティブ化されていると見なされるかを判断し、この結果、残りのコンポーネントキャリアを非アクティブ化されていると見なすことによって行うことができると理解されたい。ＵＥが、特定のコンポーネントキャリアを非アクティブ化されていると判断するか否かについての決定は、ＵＥが基地局から受け取ったＭＡＣレベルのシグナリングに依存することができ、或いは何らかのタイマに基づくこともできる（例えば、コンポーネントキャリアが所与の時間にわたって使用されていない場合、非アクティブ化されていると見なされる）。
【００５９】
ステップＳ２において、定期レポートを行うべき時間であるか否かを判断する。本発明のいくつかの実施形態では、ＵＥを所定の時間間隔でＣＳＩレポートを提供するように構成することができる。定期レポートは、一定の時間間隔で行うこともでき、或いは定期レポートを行うべき時間を予め定めておくこともできる。ＵＥは、カウントダウンを行った後にリセットして再びカウントダウンを開始するように構成できるタイミング機能８（図２を参照）を内蔵することができる。或いは、クロック信号、及び所定の時間を定めるクロック信号の数をカウントするカウンタを使用することにより、タイミング機能を提供することもできる。
【００６０】
定期レポートを行うべき時間でない場合、定期レポートを行うべき時間であるか否かを確認するためのさらなるチェックを行う。図５に示す例では、定期レポートを行うべき時間であるかどうかを確認するためのチェックを行う。しかしながら、本発明の代替の実施形態では、定期レポートを行うべき時間であるかどうかを確認するための定期的なチェックの代わりに、定期レポートを行うべき時間である場合に信号又は同様のものが提供されるように構成される。
【００６１】
ステップＳ３において、ＰＵＣＣＨ又はＰＵＳＣＨでＣＳＩレポートを送信すべきか否かを判断する。本発明の１つの実施形態では、通常はＰＵＣＣＨで定期レポートが送信される。しかしながら、ＵＥがアップリンクでデータをスケジュールされている場合には、代わりにＰＵＳＣＨで定期レポートが送信される。
【００６２】
ステップＳ４において、ＣＳＩを決定するために、必要な測定が行われ及び／又は決定される。ステップＳ５において、この測定を使用してＣＳＩを計算する。本発明のいくつかの実施形態では、ステップＳ４及びＳ５を単一のステップで提供することができ、例えばＵＥが受け取った情報から決定を行うことができると理解されたい。
【００６３】
本発明のいくつかの実施形態では、ステップＳ４及びＳ５を、ステップＳ２及びＳ３と同時に行うことができる。或いは、ステップＳ４及びＳ５を、ステップＳ２及びＳ３よりも前及び／又は後に行うこともできる。さらなる実施形態では、レポートを送信する必要がある時に情報を入手できるように、チャネルのＣＳＩが定期的に計算される。
【００６４】
ステップＳ１は、最初のステップである必要はなく、ステップＳ２〜Ｓ５のいずれかと同時に行うことができ、及び／又はこれらのステップのいずれかの前又は後に行うこともできると理解されたい。１つの修正形態では、ＵＥのメモリが、各コンポーネントキャリアがアクティブ又は非アクティブ化された時に情報を記憶するように構成される。従って、どのコンポーネントキャリアがアクティブ化又は非アクティブ化されているかに関する情報が必要な場合、メモリの内容が読み出される。
【００６５】
最終ステップＳ６において、基地局にレポートが送信される。このレポートで、関連するＣＳＩレポートを送信する。基地局に送信される情報は、アクティブ化されているコンポーネントキャリアの関連するＣＳＩ情報を含み、非アクティブ化されているコンポーネントキャリアに関しては、代わりに適当なＤＴＸ−ＣＱＩ又は上述した他のいずれかの指示を含む。
【００６６】
不定期レポートの方法を示す図６を参照する。
【００６７】
最初のステップＴ１は、概ね図５のＳ１に対応する。
【００６８】
ステップＴ２において、基地局から不定期なＣＳＩレポートを求める要求を受け取る。
【００６９】
ステップＴ２の後にはステップＴ３及びＴ４が続き、いくつかの実施形態では、これらが概ねステップＳ４及びＳ５に対応する。本発明の代替の実施形態では、これらのステップを修正することができる。不定期レポートの場合、１つのコンポーネントキャリアのみに関しては、詳細な周波数選択レポートが導出され、残りのコンポーネントキャリアに関しては、何らかの粗い広帯域情報が提供される。このことは、行う測定及びこの測定からの計算が、図５に示すものとは異なり得ることを意味する。この場合も、ステップＴ３とＴ４を組み合わせることができる。ステップＴ３及びＴ４は、ステップＴ２と同時に行うこともでき、又はこれより前に行うこともできる。
【００７０】
ステップＴ５において、アクティブなコンポーネントキャリアに関する必要な情報を含む、ＰＵＳＣＨで送信するレポートが提供され、非アクティブ化されたコンポーネントキャリアに関しては、上述したような情報がこのレポートで提供される。
【００７１】
図５及び図６に関連して説明した方法は、ＵＥ内で行うことができると理解されたい。しかしながら、本発明の１つの修正形態では、このような方法を少なくとも部分的に基地局内で行うことができる。図５又は図６に示すステップの１又はそれ以上は、ユーザ装置のプロセッサの１又はそれ以上において、例えば、少なくとも１つのメモリ及び／又はその他の考えられる構成要素と連動して少なくとも１つのデータ処理エンティティにおいて行うことができる。図５及び図６のステップの１又はそれ以上は、プロセッサの１又はそれ以上において１又はそれ以上の関連する命令が実行された時に実施することができる。この１又はそれ以上の関連する命令は、ＵＥの１又はそれ以上のメモリに記憶できると理解されたい。
【００７２】
いくつかの代替の実施形態では、ＭＡＣレベルのアクティブ化／非アクティブ化が存在しない。代わりに、ＲＲＣレベルのコンポーネントキャリア構成が使用される。このような場合、ＵＥの消費電力を節約するために、ＵＥが各ＣＣ上の動作に応じて各ＣＣ上である程度頻繁にＰＤＣＣＨをモニタするＣＣ固有のＤＲＸ（不連続受信）スキームが提案されている。ＤＲＸモード時には、ＵＥは、ＣＱＩレポートを送信しなくてもよい。非アクティブ化と同様に、ＵＥ及び基地局は、どのＣＣがＤＲＸ中であり、ＵＥがどのＣＣをモニタしているかについて、常に同じ理解を有していなくてもよい（従って、アクティブな時間にもＣＱＩをレポートする）。従って、本発明の実施形態は、ＤＲＸ中のＣＣにも使用することができ、すなわちＵＥは、ＤＲＸ中でない１又はそれ以上のＣＣのＣＱＩをレポートするとともに、ＤＲＸ中のＣＣのＤＴＸ−ＣＱＩ（＝ＣＱＩの不在）もレポートする。
【００７３】
図７に、基地局で使用するための例示的な装置８００を示している。この装置は、ダウンリンクを介して受信を行い、アップリンクを介して送信を行うためのアンテナ８２０に接続することができる。この装置は、ダウンリンク又はアップリンクによって運ばれるＯＦＤＭＡシンボルなどのシンボルを処理するために、フィルタ、（デジタル−アナログ変換器などの）変換器、シンボルデマッパ、逆高速フーリエ変換（ＩＦＦＴ）モジュールなどの以下の構成要素のうちの１又はそれ以上を有することができる無線インターフェイス８４０も含む。この装置は、基地局を制御するための、及びメモリ８２５に記憶されたプログラムコードにアクセスして実行するためのプロセッサ８２０をさらに含む。プロセッサ８２０は、実際には１又はそれ以上のプロセッサを含むことができ、メモリ８２５は、実際には１又はそれ以上のメモリを含むように構成できると理解されたい。
【００７４】
この基地局の装置を、ＵＥにより送信されたレポートを受け取るように構成することができる。基地局は、レポートを受け取ったことに応答して、ＵＥがＣＣのいずれを非アクティブ化されていると見なしているかを判断する。基地局は、この判断に従って動作する。基地局の装置によって行われるステップの１又はそれ以上は、プロセッサの１又はそれ以上において１又はそれ以上の関連する命令が実行された時に行うことができる。この１又はそれ以上の関連する命令は、基地局の１又はそれ以上のメモリに記憶できると理解されたい。
【００７５】
本発明の実施形態では、特定のチャネル状態情報について説明した。提供したチャネル状態情報の例はほんの一例にすぎず、追加の及び／又は代替のチャネル状態情報を含むこともできると理解されたい。レポートが行われるチャネルはほんの一例にすぎず、代わりに他のあらゆる好適なチャネルを使用することができる。
【００７６】
いくつかの実施形態では、この非アクティブ化されているＣＣ上のＣＳＩがこのサブフレーム／ＴＴＩで送信されるように構成され（又は送信されるように要求され）、特定のＣＣの非アクティブ化を示す状態情報がチャネル状態情報として提供される場合にのみ、情報の送信が行われ得る。上述したように、ＣＳＩは、構成又は要求された場合にのみ送信することができる。従って、所与のサブフレームでは、アクティブ化されているＣＣのうちの１つ又はいくつかに関するＣＳＩを送信することができるが、他のいくつかのアクティブ化されているＣＣに関するＣＳＩは送信しなくてもよい。アクティブ化されていないＣＣの非アクティブ化を示すＣＳＩ情報についても同様である。
【００７７】
１つの実施形態では、アクティブ化されていないＣＣに関するＣＳＩをこのＴＴＩ内に送信すべきであり、アクティブ化されているＣＣに関するＣＳＩも同じＴＴＩ内に送信すべき場合、アクティブ化されているＣＣに関するＣＳＩとともに、ＣＣがアクティブ化されていないことを示す情報を送信する（アクティブ化されていないＣＣのＣＳＩを前記情報に置き換える）。代替の実施形態では、このＴＴＩ内に他の（アクティブ化されている又は非アクティブ化されている）ＣＳＩを送信しない場合でも、非アクティブ化されているＣＣに関する前記情報を送信するようにする。
【００７８】
方法ステップの少なくともいくつかは、１又はそれ以上のコンピュータプログラムによって実施できると理解されたい。このような（単複の）コンピュータプログラムは、１又はそれ以上のプロセッサ上で実行された時に関連する方法ステップが実行されるようにする１又はそれ以上のコンピュータ命令を含むことができる。
【００７９】
本発明の実施形態をＬＴＥシステムに関連して説明したが、本発明の実施形態は、他のあらゆる好適な標準とともに使用できると理解されたい。
【００８０】
なお、移動端末などのユーザ装置又はモバイル機器に関連して実施形態を説明したが、本発明の実施形態を、アクセスシステムを介して通信するのに適した他のあらゆる好適な種類の装置に適用することもできる。モバイル機器は、例えば、適当なマルチ無線の実装に基づいて、異なるアクセス技術を使用可能にするように構成することができる。
【００８１】
また、上記では、いくつかの移動体ネットワーク及び無線ローカルエリアネットワークの例示的なアーキテクチャを参照しながらいくつかの実施形態を一例として説明したが、本明細書で図示し説明した以外のあらゆる好適な形の通信システムに実施形態を適用することもできる。また、アクセスシステムという用語は、ユーザのアクセス用途のための無線通信を可能にするように構成されたあらゆるアクセスシステムを意味すると理解することができる。
【００８２】
上述の動作は、様々なエンティティ内のデータ処理を必要とすることがある。このデータ処理は、１又はそれ以上のデータプロセッサによって行うことができる。同様に、上記の実施形態で説明した様々なエンティティを、単一の又は複数のデータ処理エンティティ及び／又はデータプロセッサ内に実装することもできる。これらのデータ処理エンティティは、装置の１又はそれ以上のメモリに記憶できる１又はそれ以上のコンピュータプログラムによって制御することができる。
【００８３】
これとは別に又はこれに加えて、適切に適合されたコンピュータプログラムコード製品をコンピュータ又はプロセッサにロードした場合、これを使用して実施形態を実施することができる。動作をもたらすためのプログラムコード製品を、キャリアディスク、カード又はテープなどの搬送媒体に記憶し、この搬送媒体によって提供することができる。データネットワークを介してプログラムコード製品をダウンロードすることも可能である。
【００８４】
例えば、本発明の実施形態をチップセットとして、換言すれば、互いに通信する一連の集積回路として実装することができる。このチップセットは、コードを実行するように構成されたマイクロプロセッサ、特定用途向け集積回路（ＡＳＩＣ）、又は上述した動作を実行するようにプログラム可能なデジタル信号プロセッサを含むことができる。
【００８５】
本発明の実施形態は、集積回路モジュールなどの様々な構成要素内で実施することができる。集積回路の設計は、概して高度に自動化されたプロセスとなり得る。論理レベルの設計を、半導体基板上に作製される準備ができている半導体回路の設計に転換するために、複雑かつ強力なソフトウェアツールを利用することができる。
【００８６】
カリフォルニア州マウンテンビューのＳｙｎｏｐｓｙｓ社、及びカリフォルニア州サンホセのＣａｄｅｎｃｅ  Ｄｅｓｉｇｎ社により提供されるようなプログラムは、十分に確立した設計ルール並びに事前に記憶した設計モジュールのライブラリを使用して、自動的に導体を導き半導体チップ上に構成部品を位置決めすることができる。半導体回路の設計が完了すると、結果として得られる（Ｏｐｕｓ、ＧＤＳＩＩなどの）標準化された電子フォーマットの形の設計を製造のために半導体加工施設すなわち「ｆａｂ」へ送ることができる。
【００８７】
上記の説明では、本発明の例示的な実施形態の完全かつ有益な説明を一例としてかつ非限定的な例として行った。しかしながら、添付図面及び添付の特許請求の範囲と併せて読めば、当業者には上述の説明に照らして様々な修正及び適応が明らかとなるであろう。しかしながら、添付の特許請求の範囲に定義する本発明の範囲には、本発明の教示のこのような及び同様の全ての修正も含まれる。
【符号の説明】
【００８８】
Ｓ１  いずれのＣＣが非アクティブ化されているかを判断
Ｓ２  定期レポートを行うべき時間か
Ｓ３  レポートをＰＵＣＣＨで送信すべきか、それともＰＵＳＣＨで送信すべきか
Ｓ４  ＣＳＩを決定するために測定を行う
Ｓ５  ＣＳＩを計算
Ｓ６  基地局にレポートを送信
【図１】
2013534740.tif 000003
【図２】
2013534740.tif 000004
【図３】
2013534740.tif 000005
【図４】
2013534740.tif 000006
【図５】
2013534740.tif 000007
【図６】
2013534740.tif 000008
【図７】
2013534740.tif 000009
【国際調査報告】
2013534740.tif 000010
2013534740.tif 000011
2013534740.tif 000012